(57)【要約】【課題】硬貨の削り粉が搬送路上に堆積することを抑制する手段を提供する。【解決手段】硬貨を受け入れる硬貨投入口４と、硬貨投入口４に投入された硬貨を搬送する搬送路２０と、搬送路２０で搬送される硬貨の種別を鑑別する鑑別部と、鑑別部で鑑別された硬貨の種別毎に、搬送された硬貨の枚数を記憶する記憶部と、搬送された１円硬貨の枚数が所定枚数以上になった後、１円硬貨と異なる特定の種別の硬貨が鑑別部で鑑別された場合、当該特定の種別の硬貨を搬送路２０で往復移動させる制御部とを有する。【選択図】        図１
2015225581.tif 000002
【特許請求の範囲】
【請求項１】
硬貨を受け入れる硬貨投入口と、
前記硬貨投入口に投入された硬貨を搬送する搬送路と、
前記搬送路で搬送される硬貨の種別を鑑別する鑑別部と、
前記鑑別部で鑑別された硬貨の種別毎に、搬送された硬貨の枚数を記憶する記憶部と、
搬送された第１の種別の硬貨の枚数が所定枚数以上になった後、前記第１の種別と異なる特定の種別の硬貨が前記鑑別部で鑑別された場合、当該特定の種別の硬貨を前記搬送路で往復移動させる制御部とを有することを特徴とする取引装置。
【請求項２】
硬貨を受け入れる硬貨投入口と、
前記硬貨投入口に投入された硬貨を搬送する搬送路と、
前記搬送路で搬送される硬貨の種別を鑑別する鑑別部と、
操作者による硬貨の搬送指示を受けた後、特定の種別の硬貨が前記鑑別部で鑑別された場合、当該特定の種別の硬貨を前記搬送路で往復移動させる制御部とを有することを特徴とする取引装置。
【請求項３】
請求項１に記載の取引装置において、
前記第１の種別の硬貨は、１円硬貨であることを特徴とする取引装置。
【請求項４】
請求項１から請求項３のいずれかに記載の取引装置において、
前記特定の種別の硬貨は、５０円硬貨、１００円硬貨、または５００円硬貨であることを特徴とする取引装置。
【請求項５】
請求項１から請求項４のいずれかに記載の取引装置において、
前記搬送路は、前記鑑別部で鑑別された硬貨を落下させる収納孔を有し、
前記制御部は、前記特定の種別の硬貨を前記硬貨投入口と前記収納孔との間を往復移動させることを特徴とする取引装置。
【請求項６】
請求項５に記載の取引装置において、
前記収納孔は、前記硬貨の種別毎に設けられ、
前記制御部は、前記特定の種別の硬貨を前記硬貨投入口と１円硬貨を落下させる前記収納孔との間を往復移動させることを特徴とする取引装置。
【請求項７】
請求項６に記載の取引装置において、
前記搬送路は、前記鑑別部で鑑別できなかった硬貨を落下させるリジェクト孔を有し、
前記リジェクト孔は、前記硬貨投入口と１円硬貨を落下させる前記収納孔との間に形成され、
前記制御部は、前記リジェクト孔を含む領域を往復移動させることを特徴とする取引装置。
【発明の詳細な説明】
【技術分野】
【０００１】
本発明は、小売店やスーパーマーケット等の商業施設に設置され、釣銭を出金し、売上金を入金する釣銭機等の取引装置に関する。
【背景技術】
【０００２】
従来の取引装置は、客から受け取った現金を装置内に保管する入金、客に返却する現金を排出する出金、装置内の売上金を排出する回収、釣銭に利用する現金を装置内に追加する補充などの取引を行うことができるようになっており、入金や補充等の取引における紙幣や硬貨等の現金を装置内に収納する入金操作の際、硬貨は、投入口に投入された後、１枚ずつ搬送路へ送られて硬貨の金種が鑑別され、金種毎に収納庫またはリジェクト口まで搬送される。搬送される硬貨は、金属製の搬送プレートとゴム製の搬送ベルトとの間で挟持され、搬送プレートに押し付けられて移動する（例えば、特許文献１参照）。
【先行技術文献】
【特許文献】
【０００３】
【特許文献１】特開２０１２−１９０２６９号公報
【発明の概要】
【発明が解決しようとする課題】
【０００４】
しかしながら、従来の技術においては、硬貨が搬送プレートに押圧されて搬送されるため、硬貨が削れ、その削り粉が搬送プレートに堆積した場合、硬貨の搬送が妨げられ、正常な搬送ができなくなるという問題がある。
本発明は、このような問題を解決することを課題とし、硬貨の削り粉が搬送路上に堆積することを抑制することを目的とする。
【課題を解決するための手段】
【０００５】
そのため、本発明は、硬貨を受け入れる硬貨投入口と、前記硬貨投入口に投入された硬貨を搬送する搬送路と、前記搬送路で搬送される硬貨の種別を鑑別する鑑別部と、前記鑑別部で鑑別された硬貨の種別毎に、搬送された硬貨の枚数を記憶する記憶部と、搬送された第１の種別の硬貨の枚数が所定枚数以上になった後、前記第１の種別と異なる特定の種別の硬貨が前記鑑別部で鑑別された場合、当該特定の種別の硬貨を前記搬送路で往復移動させる制御部とを有することを特徴とする。
【発明の効果】
【０００６】
このようにした本発明は、硬貨の削り粉が搬送路上に堆積することを抑制することができるという効果が得られる。
【図面の簡単な説明】
【０００７】
【図１】第１の実施例における搬送路の構成を示す説明図
【図２】第１の実施例における硬貨処理装置の外観斜視図
【図３】第１の実施例における硬貨処理装置の制御構成を示すブロック図
【図４】第１の実施例における硬貨搬送処理の流れを示すフローチャート
【図５】第２の実施例における硬貨搬送処理の流れを示すフローチャート
【発明を実施するための形態】
【０００８】
以下、図面を参照して本発明による取引装置の実施例を説明する。
【実施例１】
【０００９】
図２は第１の実施例における硬貨処理装置の外観斜視図である。
図２において、１は硬貨釣銭機等の硬貨処理装置、２は紙幣釣銭機等の紙幣処理装置、３はＰＯＳレジスタであり、硬貨処理装置１および紙幣処理装置２は、ＰＯＳレジスタ３と通信回線可能に接続されている。以下に硬貨処理装置１の構成を説明するものとし、紙幣処理装置２およびＰＯＳレジスタ３は、本発明に直接関係しないのでその説明を省略する。
硬貨処理装置１は、１円硬貨、５円硬貨、１０円硬貨、５０円硬貨、１００円硬貨、および５００円硬貨等の硬貨の入金取引や出金取引を行うものであり、硬貨投入口４と、硬貨出金口５と、リジェクトボックス６と有している。
【００１０】
硬貨投入口４は、硬貨を受け入れるものであり、顧客により投入された硬貨を受け入れる部位である。
硬貨出金口５は、上部に開口部が設けられており、出金搬送部で搬送された出金硬貨を貯留して操作者等がその出金硬貨を受取ることができるようになっている。
リジェクトボックス６は、硬貨投入口４に投入された硬貨のうち鑑別部で偽と鑑別された硬貨や金種が鑑別できなかった硬貨を収納するとともに、収納した硬貨を取り出すことができるように開口部が設けられたものである。
【００１１】
図１は第１の実施例における搬送路の構成を示す説明図である。
搬送路２０は、硬貨投入口４に投入された硬貨２２を搬送するものであり、搬送プレート２１と、鑑別センサ２３と、搬送ベルト２４と、リジェクト孔２５と、硬貨収納孔２６とを有している。
搬送プレート２１は、硬貨投入口４に投入され、図示しない繰出し機構により順次繰出された硬貨２２を搬送する搬送路を構成する板状のガイド部材である。
鑑別センサ２３は、硬貨投入口４から搬送プレート２１上を搬送される硬貨２２を読取るセンサであり、硬貨２２の真偽や金種を鑑別するためのものである。
【００１２】
搬送ベルト２４は、モータとプーリ等により駆動される無端状のゴムベルト等であり、硬貨２２を搬送プレート２１の面に押圧し、また搬送プレート２１の一端部に押圧しながら滑らせて移動させる。この搬送ベルト２４は、正回転および逆回転可能に構成され、図中矢印Ａおよび矢印Ｂ示す搬送方向に硬貨を移動させることができるようになっている。なお、硬貨を入金するときは図中矢印Ａが示す方向に硬貨を移動させ、硬貨を往復移動させるときは図中矢印Ａおよび矢印Ｂが示す方向に硬貨を移動させる。
【００１３】
リジェクト孔２５は、入金時の硬貨搬送方向における鑑別センサ２３の下流に配設され、鑑別センサ２３によって金種の鑑別ができなかった硬貨２２を落下させる孔である。このリジェクト孔２５の幅、すなわち硬貨の搬送方向に直交する方向の長さは、硬貨処理装置が取り扱う硬貨の中で最も小さい硬貨の直径よりも長く形成されている。
リジェクト孔２５の開口部の近傍には、レバーが設けられ、鑑別センサ２３による硬貨２２の鑑別の結果、金種が鑑別できなかった硬貨２２が通過するとき、レバーを突出させて当該硬貨２２を落下させ、一方、金種が鑑別できた硬貨２２が通過するときはレバーを収納し、当該硬貨２２を下流へと搬送できるようにする。
【００１４】
硬貨収納孔２６は、入金時の硬貨搬送方向におけるリジェクト孔２５の下流に配設され、鑑別センサ２３によって金種の鑑別ができた硬貨２２を落下させる孔であり、硬貨の金種、例えば１円、５円、１０円、５０円、１００円、５００円硬貨に対応して複数（硬貨収納孔２６ａ、２６ｂ、２６ｃ等）、設けられたものである。この硬貨収納孔２６は、開口部の近傍にレバーが設けられ、鑑別センサ２３による硬貨２２の鑑別の結果、金種が鑑別でき、収納すべき金種の硬貨２２が通過するとき、レバーを突出させて当該硬貨２２を落下させる。一方、収納すべきでない金種の硬貨２２が通過するときはレバーを収納し、当該硬貨２２を下流へと搬送できるようにする。
【００１５】
このように、本実施例のリジェクト孔２５は、硬貨投入口４と硬貨収納孔２６との間に形成されている。
なお、リジェクト孔２５から落下した硬貨はリジェクトボックス６へ案内され、またそれぞれの硬貨収納孔２６から落下した硬貨は収納庫に案内されて収納される。
図３は第１の実施例における硬貨処理装置の制御構成を示すブロック図である。
図３において、硬貨処理装置１は、搬送部１１と、鑑別部１２と、記憶部１３と、制御部１４とから構成されている。
【００１６】
搬送部１１は、図１に示す硬貨投入口４の繰出し機構や搬送ベルト２４を駆動して硬貨を搬送するものである。この搬送部１１は、図１に示す搬送ベルト２４を正転および逆回転させて搬送路２０の搬送プレート２１上の硬貨を図中矢印ＡおよびＢが示す双方向に搬送することができるようになっている。
鑑別部１２は、図１に示す搬送プレート２１上を搬送される硬貨を鑑別センサ２３で読取り、硬貨の真偽や金種（種別）を鑑別するものである。
【００１７】
記憶部１３は、メモリ等であり、硬貨処理装置１全体の動作を制御する制御プログラム（ソフトウェア）や制御情報を記憶するものである。本実施例では、図１に示す搬送路２０の搬送プレート２１上を搬送された硬貨の枚数を、鑑別部１２で鑑別された金種毎に記憶する金種別搬送カウンタ１３１を備えている。
金種別搬送カウンタ１３１は、例えば搬送した１円硬貨を計数する１円硬貨カウンタ１３１ａと、搬送した５円硬貨を計数する５円硬貨カウンタ１３１ｂと、搬送した１０円硬貨を計数する１０円硬貨カウンタ１３１ｃと、搬送した５０円硬貨を計数する５０円硬貨カウンタ１３１ｄと、搬送した１００円硬貨を計数する１００円硬貨カウンタ１３１ｅと、搬送した５００円硬貨を計数する５００円硬貨カウンタ１３１ｆとにより構成されたものである。なお、本実施例では、金種別搬送カウンタ１３１は不揮発性のメモリに記憶されているものとする。
【００１８】
制御部１４は、ＣＰＵ（Ｃｅｎｔｒａｌ  Ｐｒｏｃｅｓｓｉｎｇ  Ｕｎｉｔ）等の制御手段により構成され、記憶部１３に記憶された制御プログラムに基づいて硬貨処理装置１全体の動作を制御するものである。また制御部１４は、ＰＯＳレジスタ３との間の通信制御を行い、ＰＯＳレジスタ３から動作指示情報を受信し、またＰＯＳレジスタ３へ動作結果の情報や硬貨処理装置１の状態を表す情報等を送信することができるようになっている。
【００１９】
さらに、制御部１４は、図１に示す搬送路２０において搬送された第１の種別の硬貨としての１円硬貨の枚数が所定枚数以上になった後、１円硬貨と異なる特定の種別の硬貨としての５０円硬貨、１００円硬貨、または５００円硬貨のいずれかの硬貨が鑑別部１２で鑑別された場合、搬送部１１により当該特定の種別の硬貨を搬送路２０で往復移動させる制御を行う。
【００２０】
上述した構成の作用について説明する。
硬貨処理装置が行う硬貨搬送処理を図４の第１の実施例における硬貨搬送処理の流れを示すフローチャートの図中Ｓで表すステップに従って図１および図３を参照しながら説明する。なお、本実施例では、硬貨投入口４に投入された硬貨を搬送路２０で搬送する硬貨搬送処理を説明するものとし、硬貨投入口４から繰り出された１枚の硬貨を搬送する処理を説明する。
【００２１】
まず、硬貨処理装置１の硬貨投入口４に投入された硬貨は、搬送部１１の制御により搬送路２０に１枚ずつ繰出されて搬送され、鑑別部１２により金種が鑑別される。
Ｓ１：硬貨処理装置１の制御部１４は、鑑別部１２の鑑別結果に基づいて投入された硬貨が１円硬貨であるか否かを判定し、１円硬貨であると判定すると処理をＳ２へ移行し、１円硬貨でないと判定すると処理をＳ３へ移行する。
【００２２】
Ｓ２：１円硬貨であると判定した制御部１４は、記憶部１３の金種別搬送カウンタ１３１の１円硬貨カウンタ１３１ａに「１」を加算し、本処理を終了する。
Ｓ３：１円硬貨でないと判定した制御部１４は、さらに鑑別部１２の鑑別結果に基づいて投入された硬貨が５０円硬貨、１００円硬貨、または５００円硬貨であるか否かを判定し、５０円硬貨、１００円硬貨、または５００円硬貨のいずれかであると判定すると処理をＳ４へ移行し、５０円硬貨、１００円硬貨、または５００円硬貨でないと判定すると本処理を終了する。
【００２３】
Ｓ４：５０円硬貨、１００円硬貨、または５００円硬貨のいずれかであると判定した制御部１４は、記憶部１３の金種別搬送カウンタ１３１の１円硬貨カウンタ１３１ａが所定の枚数（本実施例では、２５枚）以上であるか否かを判定し、所定の枚数以上であると判定すると処理をＳ５へ移行し、所定の枚数未満であると判定すると本処理を終了する。
Ｓ５：１円硬貨カウンタ１３１ａが所定の枚数以上であると判定した制御部１４は、搬送部１１により、投入された５０円硬貨、１００円硬貨、または５００円硬貨を、硬貨投入口４と硬貨収納孔２６（例えば、１円硬貨を落下させる硬貨収納孔２６ａ）との間の搬送プレート２１上の汚れ易い領域２７を所定回数（本実施例では、３回）、往復移動させ、搬送路２０に堆積した硬貨の削り粉を移動させて清掃する。
【００２４】
ここで、汚れ易い領域２７は、本装置が取り扱う硬貨の中で最も硬度が低い１円硬貨を搬送する、硬貨投入口４と硬貨収納孔２６（例えば、１円硬貨を落下させる硬貨収納孔２６ａ）との間の搬送プレート２１上の領域であり、リジェクト孔２５の近傍を含む領域である。特に、リジェクト孔２５の硬貨搬送方向（図１に示す矢印Ａおよび矢印Ｂ）と直交する領域は、搬送プレート２１と１円硬貨とが接触する面積が狭く、１円硬貨の削り粉が堆積し易くなっている。
【００２５】
また、制御部１４は、１円硬貨カウンタ１３１ａが所定の枚数以上であると判定すると、搬送路２０の清掃時期に到達した旨の情報をＰＯＳレジスタ３へ送信し、ＰＯＳレジスタ３は表示部に硬貨処理装置１の搬送路２０の清掃が必要である旨を表示部に表示するものとする。なお、硬貨処理装置１に表示部が設けられている場合、制御部１４は、硬貨処理装置１の表示部に搬送路２０の清掃が必要である旨を表示するようにしても良い。
制御部１４は、硬貨の往復移動が終了すると１円硬貨カウンタ１３１ａを「０」に初期化し、本処理を終了する。
【００２６】
このように、制御部１４は、１円硬貨カウンタ１３１ａが所定の枚数以上であると判定すると、１円硬貨よりも硬度の高い硬貨である、投入された５０円硬貨、１００円硬貨、または５００円硬貨を、硬貨投入口４と硬貨収納孔２６との間の搬送プレート２１上の汚れ易い領域２７を所定回数、往復移動させることにより、搬送路２０に堆積した硬貨の削り粉を除去し、硬貨の削り粉が搬送路２０上に堆積することを抑制することができる。
【００２７】
本実施例において、金種別搬送カウンタ１３１の各カウンタは、不揮発性のメモリに記憶されるものとするが、それに限られることなく、硬貨処理装置１の電源が投入されてからの硬貨搬送枚数を累積して計数するようにしても良く、また硬貨投入口４に投入された硬貨毎に計数するようにしてもよい。
また、金種別搬送カウンタ１３１の各カウンタは、累積でなく、同一の金種の硬貨を連続して搬送した枚数を計数するようにしてもよい。これは、連続して同一金種の硬貨（例えば、１円硬貨）を搬送した場合、搬送路２０の搬送プレート２１上に硬貨の削り粉が堆積し易いからである。
【００２８】
さらに、５０円硬貨、１００円硬貨、または５００円硬貨を、搬送路２０の搬送プレート２１上を往復移動させるようにしたが、それに限られることなく、搬送プレート２１と接触する面積が最も大きい５００円硬貨が投入されたときに、その５００円硬貨を往復移動させるようにしても良い。５００円硬貨を往復移動させて搬送路２０を清掃することで、より広い範囲の清掃が可能となるためである。
同様に、搬送プレート２１と接触する面積が最も小さく、接触面に大きな圧力がかかる５０円硬貨が投入されたときに、その５０円硬貨を往復移動させてようにしても良い。５０円硬貨を往復移動させて搬送路２０を清掃することで、１往復あたりの清掃硬貨を大きくでき、往復回数を減らすことができるためである。
【００２９】
またさらに、１円硬貨カウンタ１３１ａが所定の枚数以上になったとき、５０円硬貨、１００円硬貨、または５００円硬貨を、搬送路２０の搬送プレート２１上を往復移動させるようにしたが、それに限られることなく、１円硬貨以外の金種の硬貨のカウンタが所定の枚数以上になったとき、当該硬貨以外の金種の硬貨で搬送路２０の搬送プレート２１上を往復移動させるようにしてもよい。
【００３０】
以上説明したように、第１の実施例では、搬送路上を搬送した１円硬貨の枚数が所定の枚数以上になったとき、投入された５０円硬貨、１００円硬貨、または５００円硬貨を、所定回数、搬送路上を往復移動させることにより、搬送路に堆積した硬貨の削り粉を除去し、硬貨の削り粉が搬送路上に堆積することを抑制することができるという効果が得られる。
【実施例２】
【００３１】
第２の実施例の構成は、第１の実施例と同様なので、同一の符号を付してその説明を省略する。
第２の実施例の硬貨処理装置が行う硬貨搬送処理を図５の第２の実施例における硬貨搬送処理の流れを示すフローチャートの図中Ｓで表すステップに従って図１および図３を参照しながら説明する。なお、本実施例では、硬貨処理装置１を操作する操作者の指示により、硬貨投入口４に投入した硬貨を搬送路２０で搬送する硬貨搬送処理を説明する。
まず、操作者は、ＰＯＳレジスタ３の操作部を操作して硬貨処理装置１に対して硬貨搬送処理の開始を指示する。硬貨処理装置１は、ＰＯＳレジスタ３から硬貨搬送処理の開始を指示する情報を受信すると、硬貨搬送処理を開始する。
【００３２】
Ｓ１１：硬貨処理装置１の制御部１４は、硬貨投入口４に硬貨が投入されたか否かを硬貨投入検知センサで監視し、投入されたと判定すると、硬貨投入口４に投入された硬貨を搬送部１１の制御により搬送路２０に１枚ずつ繰出して搬送し、鑑別部１２により金種を鑑別する。
Ｓ１２：制御部１４は、鑑別部１２の鑑別結果に基づいて投入された硬貨が５０円硬貨、１００円硬貨、または５００円硬貨であるか否かを判定し、５０円硬貨、１００円硬貨、または５００円硬貨のいずれかであると判定すると処理をＳ１３へ移行し、５０円硬貨、１００円硬貨、または５００円硬貨でないと判定すると処理をＳ１４へ移行する。
【００３３】
Ｓ１３：投入された硬貨が５０円硬貨、１００円硬貨、または５００円硬貨のいずれかであると判定した制御部１４は、搬送部１１により、投入された５０円硬貨、１００円硬貨、または５００円硬貨を、硬貨投入口４と硬貨収納孔２６との間の搬送プレート２１上の汚れ易い領域２７を所定回数（本実施例では、１０回）、往復移動させ、搬送路２０に堆積した硬貨の削り粉を移動させて清掃する。
Ｓ１４：制御部１４は、搬送部１１により、搬送した硬貨をリジェクト孔２５から落下させて本処理を終了する。
【００３４】
このように、操作者による硬貨搬送処理の開始を指示する操作を受付け、制御部１４は、投入された５０円硬貨、１００円硬貨、または５００円硬貨を、硬貨投入口４と硬貨収納孔２６との間の搬送プレート２１上の汚れ易い領域２７を所定回数、往復移動させることにより、搬送路２０に堆積した硬貨の削り粉を除去し、硬貨の削り粉が搬送路２０上に堆積することを抑制することができる。
【００３５】
なお、本実施例では、ＰＯＳレジスタ３の操作部を操作して硬貨処理装置１に対して硬貨搬送処理の開始を指示するものとして説明したが、硬貨処理装置１に操作部を備えている場合は、硬貨処理装置１の操作部を操作して硬貨搬送処理の開始を指示するようにしても良い。
また、硬貨搬送処理の開始を指示する代わりに、専用に用意した清掃用硬貨が投入された場合に清掃を開始するようにしても良い。
【００３６】
以上説明したように、第２の実施例では、第１の実施例の効果に加え、硬貨処理装置の操作者により、硬貨搬送処理の開始を指示するようにしたことにより、硬貨処理装置を保守する保守員の出動回数を削減することができるという効果が得られる。
なお、第１の実施例では、硬貨処理装置を硬貨釣銭機として説明したが、それに限られることなく、両替機、現金自動預払機、硬貨計数機等の硬貨を取扱う装置としても良い。
また、第２の実施例では、ＰＯＳレジスタと接続された硬貨処理装置の例で説明したが、それに限られることなく、操作ボタンやディスプレイを備えた両替機、現金自動預払機、硬貨計数機等の硬貨を取扱う装置としても良い。
【符号の説明】
【００３７】
１    硬貨処理装置
４    硬貨投入口
５    硬貨出金口
６    リジェクトボックス
１１  搬送部
１２  鑑別部
１３  記憶部
１４  制御部
２０  搬送路
２１  搬送プレート
２２  硬貨
２３  鑑別センサ
２４  搬送ベルト
２５  リジェクト孔
２６  硬貨収納孔
１３１  金種別搬送カウンタ
【図１】
2015225581.tif 000003
【図２】
2015225581.tif 000004
【図３】
2015225581.tif 000005
【図４】
2015225581.tif 000006
【図５】
2015225581.tif 000007